(57)【要約】【課題】自己共振周波数を超える周波数帯において減衰特性が不安定化することを抑制できるインダクタ部品を提供する。【解決手段】インダクタ部品は、巻芯部と、前記巻芯部の軸方向における第１端に設けられた第１鍔部と、前記巻芯部の前記軸方向における第２端に設けられた第２鍔部とを有するコアと、前記第１鍔部に設けられた第１電極と、前記第２鍔部に設けられた第２電極と、前記第１電極および前記第２電極に電気的に接続され、前記巻芯部の軸方向に沿って並ぶ複数の巻回領域を構成するように前記巻芯部に巻回されたワイヤとを備え、隣り合う前記巻回領域の間隔は、前記各巻回領域内の前記ワイヤの巻回間隔よりも大きい。【選択図】図１
2020161617.tif 000002
【特許請求の範囲】
【請求項１】
巻芯部と、前記巻芯部の軸方向における第１端に設けられた第１鍔部と、前記巻芯部の前記軸方向における第２端に設けられた第２鍔部とを有するコアと、
前記第１鍔部に設けられた第１電極と、
前記第２鍔部に設けられた第２電極と、
前記第１電極および前記第２電極に電気的に接続され、前記巻芯部の軸方向に沿って並ぶ複数の巻回領域を構成するように前記巻芯部に巻回されたワイヤと
を備え、
隣り合う前記巻回領域の間隔は、前記各巻回領域内の前記ワイヤの巻回間隔よりも大きい、インダクタ部品。
【請求項２】
前記コアは、誘電体であり、かつ、中実である、請求項１に記載のインダクタ部品。
【請求項３】
前記コアは、磁性材料からなる、請求項１または２に記載のインダクタ部品。
【請求項４】
前記複数の巻回領域は、前記第１鍔部側から前記第２鍔部側へ順に並ぶ第１巻回領域、第２巻回領域および第３巻回領域を含み、
前記第２巻回領域における前記ワイヤの巻回数は、前記第１巻回領域における前記ワイヤの巻回数又は前記第３巻回領域における前記ワイヤの巻回数と異なる、請求項１から３のいずれか一つに記載のインダクタ部品。
【請求項５】
前記第２巻回領域における前記ワイヤの巻回数は、前記第１巻回領域における前記ワイヤの巻回数および前記第３巻回領域における前記ワイヤの巻回数よりも多い、請求項４に記載のインダクタ部品。
【請求項６】
前記第２巻回領域における前記ワイヤの巻回数は、前記第１巻回領域における前記ワイヤの巻回数および前記第３巻回領域における前記ワイヤの巻回数よりも４ターン以上多い、請求項５に記載のインダクタ部品。
【請求項７】
前記第２巻回領域における前記ワイヤの巻回数は、７ターンであり、前記第１巻回領域における前記ワイヤの巻回数および前記第３巻回領域における前記ワイヤの巻回数は、３ターンである、請求項５または６に記載のインダクタ部品。
【請求項８】
前記第２巻回領域における前記ワイヤの巻回数は、前記第１巻回領域における前記ワイヤの巻回数および前記第３巻回領域における前記ワイヤの巻回数よりも少ない、請求項４に記載のインダクタ部品。
【請求項９】
前記第２巻回領域における前記ワイヤの巻回数は、前記第１巻回領域における前記ワイヤの巻回数および前記第３巻回領域における前記ワイヤの巻回数よりも３ターン以上少ない、請求項８に記載のインダクタ部品。
【請求項１０】
前記第２巻回領域における前記ワイヤの巻回数は、１ターンであり、前記第１巻回領域における前記ワイヤの巻回数および前記第３巻回領域における前記ワイヤの巻回数は、４ターンである、請求項８または９に記載のインダクタ部品。
【発明の詳細な説明】
【技術分野】
【０００１】
本発明は、インダクタ部品に関する。
【背景技術】
【０００２】
従来、インダクタ部品としては、特開２０１３−２１９０８８号公報（特許文献１）に記載されたものがある。このインダクタ部品は、巻芯部と第１鍔部および第２鍔部とを含むコアと、第１鍔部および第２鍔部のそれぞれに設けられた第１電極および第２電極と、第１電極および第２電極に電気的に接続され巻芯部に巻回されたワイヤとを備える。巻芯部に巻回されたワイヤは、巻芯部の軸方向に沿って並ぶ複数の巻回領域を構成する。巻回領域は、密に巻回された複数の密巻き部分と、粗く巻回された粗巻き部分とを含む。粗巻き部分は、複数の密巻き部分の間に配置される。
【先行技術文献】
【特許文献】
【０００３】
【特許文献１】特開２０１３−２１９０８８号公報
【発明の概要】
【発明が解決しようとする課題】
【０００４】
しかしながら、従来のインダクタ部品では、粗巻き部分の巻数を密巻き部分の巻数よりも多くする場合や少なくする場合において、自己共振周波数以下の周波数におけるＬ値の設定に着目するのみであり、自己共振周波数よりも高い周波数帯のＳ２１の減衰特性における特性変動に関して制御してないため、自己共振周波数よりも高い周波数帯における減衰特性が劣化するおそれがあった。さらに、Qの高いコイルを直列に接続して減衰させる場合、それぞれのインダクタの共振周波数間において反共振（リップル）が発生するため、広帯域減衰特性が得られないことがあった。
【０００５】
また、ＬＢ（６００ＭＨｚ〜１ＧＨｚ）帯、ＷｉＦｉ２．４〜２．６ＧＨｚ，５〜６ＧＨｚ帯のみであった現状から、将来、前記周波数帯に加えて１．５ＧＨｚ〜２．５ＧＨｚ帯や、３〜５ＧＨｚ帯なども減衰する必要性が出てきており、このため音声などの低周波信号ラインにおいて、高周波信号を広帯域に減衰させる必要がでてきている。
【０００６】
そこで、本開示は、自己共振周波数を超える周波数帯において減衰特性が不安定化することを抑制できるインダクタ部品を提供することにある。
【課題を解決するための手段】
【０００７】
前記課題を解決するため、本開示の一態様であるインダクタ部品は、
巻芯部と、前記巻芯部の軸方向における第１端に設けられた第１鍔部と、前記巻芯部の前記軸方向における第２端に設けられた第２鍔部とを有するコアと、
前記第１鍔部に設けられた第１電極と、
前記第２鍔部に設けられた第２電極と、
前記第１電極および前記第２電極に電気的に接続され、前記巻芯部の軸方向に沿って並ぶ複数の巻回領域を構成するように前記巻芯部に巻回されたワイヤと
を備え、
隣り合う前記巻回領域の間隔は、前記各巻回領域内の前記ワイヤの巻回間隔よりも大きい。
【０００８】
前記態様によれば、隣り合う巻回領域の間隔は、各巻回領域内のワイヤの巻回間隔よりも大きいので、隣り合う巻回領域の間隔によって、各巻回領域（分布Ｌ性）間の線間容量（分布Ｃ性）を調整して反共振周波数を設定できる。このため、広帯域において高減衰特性を得ることができ、または、広帯域において低リップルとなる減衰特性を得ることができる。したがって、自己共振周波数を超える周波数帯において減衰特性が不安定化することを抑制できる。
【０００９】
また、インダクタ部品の一実施形態では、前記コアは、誘電体であり、かつ、中実である。
【００１０】
前記実施形態によれば、コアは、誘電体であり、かつ、中実であるので、コアによる磁心損失を増加して、Ｑ値を低下できる。これにより、共振が鈍って、高インピーダンスの周波数帯域を広げることができる。
【００１１】
また、インダクタ部品の一実施形態では、前記コアは、磁性材料からなる。
【００１２】
前記実施形態によれば、コアは、磁性材料からなるので、コアによる磁心損失を増加して、Ｑ値を低下できる。これにより、共振が鈍って、高インピーダンスの周波数帯域を広げることができる。
【００１３】
また、インダクタ部品の一実施形態では、
前記複数の巻回領域は、前記第１鍔部側から前記第２鍔部側へ順に並ぶ第１巻回領域、第２巻回領域および第３巻回領域を含み、
前記第２巻回領域における前記ワイヤの巻回数は、前記第１巻回領域における前記ワイヤの巻回数又は前記第３巻回領域における前記ワイヤの巻回数と異なる。
【００１４】
前記実施形態によれば、第２巻回領域のワイヤの巻回数は、第１巻回領域のワイヤの巻回数又は第３巻回領域のワイヤの巻回数と異なるので、線間容量（分布Ｃ性）だけでなく、巻回数によって（分布Ｌ性）も調整でき、反共振周波数の設定の自由度が向上し、より広帯域において高減衰特性または低リップルとなる減衰特性を得ることができる。
【００１５】
また、インダクタ部品の一実施形態では、前記第２巻回領域における前記ワイヤの巻回数は、前記第１巻回領域における前記ワイヤの巻回数および前記第３巻回領域における前記ワイヤの巻回数よりも多い。
【００１６】
前記実施形態によれば、反共振周波数を低い帯域に設定でき、広帯域において高減衰特性を得ることができる。
【００１７】
また、インダクタ部品の一実施形態では、前記第２巻回領域における前記ワイヤの巻回数は、前記第１巻回領域における前記ワイヤの巻回数および前記第３巻回領域における前記ワイヤの巻回数よりも４ターン以上多い。
【００１８】
前記実施形態によれば、４ＧＨｚ前後（３ＧＨｚ〜５ＧＨｚ帯）においても高減衰特性を維持できる。
【００１９】
また、インダクタ部品の一実施形態では、前記第２巻回領域における前記ワイヤの巻回数は、７ターンであり、前記第１巻回領域における前記ワイヤの巻回数および前記第３巻回領域における前記ワイヤの巻回数は、３ターンである。
【００２０】
前記実施形態によれば、４ＧＨｚ前後（３ＧＨｚ〜５ＧＨｚ帯）においても高減衰特性を維持できる。
【００２１】
また、インダクタ部品の一実施形態では、前記第２巻回領域における前記ワイヤの巻回数は、前記第１巻回領域における前記ワイヤの巻回数および前記第３巻回領域における前記ワイヤの巻回数よりも少ない。
【００２２】
前記実施形態によれば、反共振周波数を高い帯域に設定でき、広帯域において低リップルとなる減衰特性を得ることができる。
【００２３】
また、インダクタ部品の一実施形態では、前記第２巻回領域における前記ワイヤの巻回数は、前記第１巻回領域における前記ワイヤの巻回数および前記第３巻回領域における前記ワイヤの巻回数よりも３ターン以上少ない。
【００２４】
前記実施形態によれば、１５ＧＨｚ前後（１４ＧＨｚ〜１６ＧＨｚ帯）においても低リップルとなる減衰特性を確保できる。
【００２５】
また、インダクタ部品の一実施形態では、前記第２巻回領域における前記ワイヤの巻回数は、１ターンであり、前記第１巻回領域における前記ワイヤの巻回数および前記第３巻回領域における前記ワイヤの巻回数は、４ターンである。
【００２６】
前記実施形態によれば、１５ＧＨｚ前後（１４ＧＨｚ〜１６ＧＨｚ帯）においても低リップルとなる減衰特性を確保できる。
【発明の効果】
【００２７】
本開示の一態様であるインダクタ部品によれば、自己共振周波数を超える周波数帯において減衰特性が不安定化することを抑制できる。
【図面の簡単な説明】
【００２８】
【図１】インダクタ部品の第１実施形態を示す下面側からみた斜視図である。
【図２】第１実施例と比較例における周波数とインピーダンスの関係を示すグラフである。
【図３】第２実施例と比較例における周波数とＳ２１の関係を示すグラフである。
【図４Ａ】第３、第４実施例と比較例における周波数とインピーダンスの関係を示すグラフである。
【図４Ｂ】第５、第６実施例と比較例における周波数とインピーダンスの関係を示すグラフである。
【図５】インダクタ部品の第２実施形態を示す下面側からみた斜視図である。
【図６】実施例と比較例における周波数とインピーダンスの関係を示すグラフである。
【図７】実施例と比較例における周波数とＳ２１の関係を示すグラフである。
【発明を実施するための形態】
【００２９】
以下、本開示の一態様であるインダクタ部品を図示の実施の形態により詳細に説明する。なお、図面は一部模式的なものを含み、実際の寸法や比率を反映していない場合がある。
【００３０】
（第１実施形態）
図１は、インダクタ部品の第１実施形態を示す下面側からみた斜視図である。図１に示すように、インダクタ部品１は、コア１０と、コア１０に設けられた第１電極３１および第２電極３２と、コア１０に巻回され第１電極３１および第２電極３２に電気的に接続されたワイヤ２１とを備える。
【００３１】
コア１０は、一定方向に延びる形状である巻芯部１３と、巻芯部１３の延びる方向の第１端に設けられ、当該方向と直交する方向に張り出す第１鍔部１１と、巻芯部１３の延びる方向の第２端に設けられ、当該方向と直交する方向に張り出す第２鍔部１２とを有する。巻芯部１３の形状、第１鍔部１１の形状および第２鍔部１２の形状は、例えば、直方体であるがこれに限らず、他の形状、例えば、五角柱や六角柱など、直方体以外の多角柱、円柱であっても構わない。また、一部が湾曲面であっても構わない。以下の説明において、巻芯部１３の延びる方向を巻芯部１３の軸方向と称する。巻芯部１３の軸方向は、ワイヤ２１の巻回軸方向と言い換えることもできる。
【００３２】
コア１０の材料としては、例えば、フェライトの焼結体や、磁性粉含有樹脂の成型体などの磁性材料が好ましく、アルミナや、非磁性粉含有樹脂又はフィラーを含有しない樹脂などの非磁性材料であってもよい。また、セラミックスの焼結体、ガラスなどの非晶質固体やＳｉを主原料とする結晶体、樹脂などの成形体などの誘電体であってもよい。コア１０は、中実であるが、中空（空芯）であってもよい。なお、以下では、コア１０の下面を、実装基板に実装される面とする。
【００３３】
第１電極３１は、第１鍔部１１の下面に設けられ、第２電極３２は、第２鍔部１２の下面に設けられる。第１電極３１および第２電極３２は、例えば、銀（Ａｇ）を導電成分とする導電性ペーストを塗布し、焼き付けることによって形成したり、ニッケル（Ｎｉ）−クロム（Ｃｒ）、ニッケル（Ｎｉ）−銅（Ｃｕ）をスパッタリングすることによって形成したりする。また、必要に応じてめっき膜がさらに形成されてもよい。めっき膜の材料としては、例えば錫（Ｓｎ）、Ｃｕ、Ｎｉ等の金属や、Ｎｉ−Ｓｎ等の合金を用いることができる。なお、めっき膜を多層構造としてもよく、２種類以上のめっきを用いてもよい。
【００３４】
ワイヤ２１は、巻芯部１３に巻回されてコイルを構成する。ワイヤ２１は、例えば銅などの金属からなる導線がポリウレタンやポリアミドイミドなどの樹脂からなる被膜で覆われた絶縁被膜付導線である。ワイヤ２１の一端は、第１電極３１と電気的に接続され、ワイヤ２１の他端は、第２電極３２と電気的に接続されている。ワイヤ２１と第１、第２電極３１，３２とは、例えば熱圧着、ろう付け、溶接などによって接続される。
【００３５】
インダクタ部品１は、実装基板に実装される際、第１鍔部１１の下面および第２鍔部１２の下面が実装基板に対向する。このとき、巻芯部１３の軸方向は、実装基板の主面と平行となる。すなわち、インダクタ部品１は、ワイヤ２１の巻回軸が実装基板と平行となる横巻型である。
【００３６】
インダクタ部品１は、二点鎖線に示すカバー部材６０をさらに有していてもよい。カバー部材６０は、巻芯部１３に巻回されたワイヤ２１を覆うように、巻芯部１３の上面および側面に設けられている。カバー部材６０の材料としては、例えば、エポキシ系の樹脂を用いることができる。カバー部材６０は、例えば、インダクタ部品１を実装基板に実装する際に、吸引ノズルによる吸着が確実に行えるようにする。また、カバー部材６０は、吸引ノズルによる吸着時にワイヤ２１に傷がつくのを防止する。なお、カバー部材６０に磁性材料を用いることで、インダクタ部品１のインダクタンス値（Ｌ値）を向上することができる。なお、カバー部材６０が設けられるのは、巻芯部１３の上面および側面に限られるわけではなく、たとえば巻芯部１３の上面に設けられ、巻芯部１３の側面を覆っていなくてもよい。
【００３７】
巻芯部１３に巻回されたワイヤ２１は、巻芯部１３の軸方向に沿って並ぶ複数の巻回領域Ｚ１，Ｚ２，Ｚ３を構成する。全ての巻回領域Ｚ１，Ｚ２，Ｚ３において、隣り合う巻回領域Ｚ１とＺ２の間隔、および、隣り合う巻回領域Ｚ２とＺ３の間隔は、各巻回領域Ｚ１，Ｚ２，Ｚ３内のワイヤ２１の巻回間隔よりも大きい。ここで、巻回領域とは、ワイヤ２１の巻回方向が巻芯部１３の軸に対して一定角度となるように、ワイヤ２１が巻芯部１３に巻回されている領域をいう。隣り合う巻回領域を接続するワイヤの巻回方向の角度は、巻回領域におけるワイヤの巻回方向の角度よりも拡大されている。
【００３８】
具体的に述べると、複数の巻回領域Ｚ１，Ｚ２，Ｚ３は、第１鍔部１１側から第２鍔部１２側へ順に並ぶ第１巻回領域Ｚ１、第２巻回領域Ｚ２および第３巻回領域Ｚ３を含む。第１巻回領域Ｚ１と第２巻回領域Ｚ２の間隔および第２巻回領域Ｚ２と第３巻回領域Ｚ３の間隔は、各巻回領域Ｚ１，Ｚ２，Ｚ３内のワイヤ２１のターンピッチよりも大きい。
第２巻回領域Ｚ２におけるワイヤ２１の巻回数は、第１巻回領域Ｚ１におけるワイヤ２１の巻回数又は第３巻回領域Ｚ３におけるワイヤ２１の巻回数と異なる。第２巻回領域Ｚ２におけるワイヤ２１の巻回数は、第１巻回領域Ｚ１におけるワイヤ２１の巻回数および第３巻回領域Ｚ３におけるワイヤ２１の巻回数よりも多い。なお、第１巻回領域Ｚ１におけるワイヤ２１の巻回数と、第３巻回領域Ｚ３におけるワイヤ２１の巻回数とは同じとしてもよい。
【００３９】
前記インダクタ部品１によれば、隣り合う巻回領域Ｚ１，Ｚ２，Ｚ３の間隔は、各巻回領域Ｚ１，Ｚ２，Ｚ３内の巻回間隔よりも大きいので、隣り合う巻回領域Ｚ１，Ｚ２，Ｚ３の間隔によって、各巻回領域（分布Ｌ性）間の線間容量（分布Ｃ性）を調整して反共振周波数を設定できる。そして、本実施形態では、第２巻回領域Ｚ２におけるワイヤ２１の巻回数は、第１巻回領域Ｚ１におけるワイヤ２１の巻回数および第３巻回領域Ｚ３におけるワイヤ２１の巻回数よりも多いので、反共振周波数を低い帯域に設定でき、広帯域において高減衰特性を得ることができる。したがって、自己共振周波数を超える周波数帯において減衰特性が不安定化することを抑制できる。
また、ＬＢ（６００ＭＨｚ〜１ＧＨｚ）帯、ＷｉＦｉ２．４〜２．６ＧＨｚ，５〜６ＧＨｚ帯のみであった現状から、将来、前記周波数帯に加えて１．５ＧＨｚ〜２．５ＧＨｚ帯や、３〜５ＧＨｚ帯なども減衰する必要性が出てきており、前記インダクタ部品１を用いることで、音声などの低周波信号ラインにおいて、高周波信号を広帯域に減衰させることができる。
【００４０】
さらに詳しく述べると、インダクタの自己共振周波数（ＳＲＦ）以下の周波数帯におけるインダクタの電磁界分布としては、コイル全体のインダクタンス成分（Ｌ性）とキャパシタンス成分（Ｃ性）が寄与する構成となっており、その結果として自己共振点が発現している。そして、高周波、特にインダクタのＳＲＦよりも高い周波数帯において、インダクタの振る舞いは分布定数的振る舞いをしており、インダクタのワイヤの巻回領域は、Ｌ性とＣ性が部分的に機能している状態となる。また、ＳＲＦ以降、複数の反共振周波数が存在するが、ＳＲＦに近い順に第１反共振周波数と定義する際に、ＳＲＦと第１反共振周波数間の電磁界分布はＬ性＋Ｃ性＋Ｌ性といった構成で振舞っている。
【００４１】
そして、インダクタ部品１において、Ｃ性はコイルを形成しているワイヤの線間容量であり、反共振周波数はＣ性の寄与が支配的であるため、中央の第２巻回領域Ｚ２の巻回数により所望の反共振周波数が得られる。したがって、反共振周波数を従来構造よりも低い周波数に設計することにより、高インピーダンスの周波数帯域を広げ、優れた減衰特性を得ることができる。
【００４２】
前記インダクタ部品１によれば、第２巻回領域Ｚ２のワイヤ２１の巻回数は、第１巻回領域Ｚ１のワイヤ２１の巻回数又は第３巻回領域Ｚ３のワイヤ２１の巻回数と異なるので、線間容量（分布Ｃ性）だけでなく、巻回数によって（分布Ｌ性）も調整でき、反共振周波数の設定の自由度が向上する。
【００４３】
好ましくは、第２巻回領域Ｚ２におけるワイヤ２１の巻回数は、第１巻回領域Ｚ１におけるワイヤ２１の巻回数および第３巻回領域Ｚ３におけるワイヤ２１の巻回数よりも４ターン以上多い。さらに好ましくは、第２巻回領域Ｚ２におけるワイヤ２１の巻回数は、７ターンであり、第１巻回領域Ｚ１におけるワイヤ２１の巻回数および第３巻回領域Ｚ３におけるワイヤ２１の巻回数は、３ターンである。これによれば、４ＧＨｚ前後（３ＧＨｚ〜５ＧＨｚ帯）においても高減衰特性を維持できる。
ここで、各巻回領域におけるワイヤの巻回数（ターン）は、ワイヤ２１が巻芯部１３に１周巻回されていることをもって１ターンという。ただし、各巻回領域における巻き始め側または巻き終わり側に巻回されているワイヤ２１においては巻芯部１３の半分以上に巻回されている場合、１ターンとみなす。この実施形態では、各巻回領域における巻き始め側または巻き終わり側に巻回されているワイヤ２１が巻芯部１３の下面を除く面（３面）において巻回されていれば半分以上巻回されているといえるため、１ターンとみなすことができる。つまり、巻芯部１３の下面で３ターンであっても、巻き始め側または巻き終わり側において巻芯部１３の下面を除く面（３面）で４ターン巻回されていれば、このときのワイヤの巻回数は、４ターンである。なお、巻芯部１３が円柱である場合には、円周の半分以上にワイヤ２１が巻回されているときは１ターンとみなすことができる。巻芯部１３が多角柱である場合には、巻芯部１３の軸方向と直交する断面における外周の半分以上にワイヤ２１が巻回されているときは１ターンとみなすことができる。
【００４４】
好ましくは、コア１０は、誘電体であり、かつ、中実である。これによれば、コアによる磁心損失を増加して、Ｑ値を低下できる。これにより、共振が鈍って（共振点におけるインピーダンスのピークがなだらかになって）、インピーダンスの低下量が緩やかになり、共振間のインピーダンスの低下が判別し難くなる。このため、高インピーダンスの周波数帯域を広げることができる。
【００４５】
好ましくは、コア１０は、フェライトなどの磁性材料からなる。これによれば、コアによる磁心損失を増加して、Ｑ値を低下できる。これにより、共振が鈍って、高インピーダンスの周波数帯域を広げることができる。
【００４６】
なお、誘電体の中実のコアや磁性材料のコアを用いる以外に、磁心損失が大きくなるような構成であれば如何なる構成であってもよい。例えば、カバー部材６０に磁性粉を用いることで、磁心損失を大きくしてＱ値を低下するようにしてもよい。
【００４７】
以下、前記第１実施形態の実施例を説明する。
【００４８】
第１実施例として、コアにアルミナを用い、コアを中空とした。このコアにおいて、比誘電率Ｅｒは１００で、比透磁率μｒは１で、損失係数ｔａｎδは０であった。第２巻回領域Ｚ２の巻回数は、５ターンであり、第１巻回領域Ｚ１の巻回数および第３巻回領域Ｚ３の巻回数は、４ターンであった。比較例として、コアにワイヤを等間隔に１３ターン巻回し、複数の巻回領域を設けなかった。
【００４９】
第１実施例と比較例における周波数とインピーダンスの関係を図２に示す。図２では、第１実施例をＬ１で示し、比較例をＬ０で示す。図２に示すように、Ｌ１では、Ｌ０に比べて、反共振周波数を低い周波数にずらすことができ、高インピーダンスの周波数帯域を広げることができた。
【００５０】
第２実施例として、コアに非磁性フェライトを用い、コアを中実とした。このコアにおいて、比誘電率Ｅｒは１００で、比透磁率μｒは１で、損失係数ｔａｎδは２であった。第２巻回領域Ｚ２の巻回数は、５ターンであり、第１巻回領域Ｚ１の巻回数および第３巻回領域Ｚ３の巻回数は、４ターンであった。比較例として、コアにワイヤを等間隔に１３ターン巻回し、複数の巻回領域を設けなかった。
【００５１】
第２実施例と比較例における周波数とＳ２１の関係を図３に示す。図３では、第２実施例をＬ２で示し、比較例をＬ０で示す。図３に示すように、Ｌ２では、Ｌ０に比べて、Ｑ値の低下により共振が鈍って、広帯域において連続的に高減衰特性を得ることができた。
【００５２】
第３から第６実施例として、コアにアルミナを用い、コアを中空とした。このコアにおいて、比誘電率Ｅｒは１００で、比透磁率μｒは１で、損失係数ｔａｎδは０であった。第３実施例では、第２巻回領域Ｚ２の巻回数は、１ターンであり、第１巻回領域Ｚ１の巻回数および第３巻回領域Ｚ３の巻回数は、１１ターンであった。第４実施例では、第２巻回領域Ｚ２の巻回数は、９ターンであり、第１巻回領域Ｚ１の巻回数および第３巻回領域Ｚ３の巻回数は、２ターンであった。第５実施例では、第２巻回領域Ｚ２の巻回数は、７ターンであり、第１巻回領域Ｚ１の巻回数および第３巻回領域Ｚ３の巻回数は、３ターンであった。第６実施例では、第２巻回領域Ｚ２の巻回数は、５ターンであり、第１巻回領域Ｚ１の巻回数および第３巻回領域Ｚ３の巻回数は、４ターンであった。比較例として、コアにワイヤを等間隔に１３ターン巻回し、複数の巻回領域を設けなかった。
【００５３】
第３から第６実施例と比較例における周波数とインピーダンスの関係を図４Ａと図４Ｂに示す。図４Ａと図４Ｂでは、第３実施例をＬ３で示し、第４実施例をＬ４で示し、第５実施例をＬ５で示し、第６実施例をＬ６示し、比較例をＬ０で示す。図４Ａと図４Ｂに示すように、Ｌ３〜Ｌ６では、Ｌ０に比べて、反共振周波数を低い周波数にずらすことができ、高インピーダンスの周波数帯域を広げることができた。また、第３から第６実施例Ｌ３〜Ｌ６において、Ｌ６が最も高い効果を有し、続いてＬ５が高い効果を有し、続いてＬ４が高い効果を有し、続いてＬ３が高い効果を有した。
【００５４】
（第２実施形態）
図５は、インダクタ部品の第２実施形態を示す下面側からみた斜視図である。第２実施形態は、第１実施形態とは、巻回領域の巻回数が相違する。この相違する構成を以下に説明する。その他の構成は、第１実施形態と同じ構成であり、第１実施形態と同一の符号を付してその説明を省略する。
【００５５】
図５に示すように、第２実施形態のインダクタ部品１Ａでは、第２巻回領域Ｚ２におけるワイヤ２１の巻回数は、第１巻回領域Ｚ１におけるワイヤ２１の巻回数および第３巻回領域Ｚ３におけるワイヤ２１の巻回数よりも少ない。これによれば、反共振周波数を高い帯域に設定でき、広帯域において低リップルとなる減衰特性を得ることができる。したがって、自己共振周波数を超える周波数帯において減衰特性が不安定化することを抑制できる。
【００５６】
好ましくは、第２巻回領域Ｚ２におけるワイヤ２１の巻回数は、第１巻回領域Ｚ１におけるワイヤ２１の巻回数および第３巻回領域Ｚ３におけるワイヤ２１の巻回数よりも３ターン以上少ない。さらに好ましくは、第２巻回領域Ｚ２におけるワイヤ２１の巻回数は、１ターンであり、第１巻回領域Ｚ１におけるワイヤ２１の巻回数および第３巻回領域Ｚ３におけるワイヤ２１の巻回数は、４ターンである。これによれば、１５ＧＨｚ前後（１４ＧＨｚ〜１６ＧＨｚ帯）においても低リップルとなる減衰特性を確保できる。
【００５７】
以下、前記第２実施形態の実施例を説明する。
【００５８】
実施例として、コアにアルミナを用い、コアを中空とした。このコアにおいて、比誘電率Ｅｒは１０で、比透磁率μｒは１で、損失係数ｔａｎδは０であった。第２巻回領域Ｚ２の巻回数は、１ターンであり、第１巻回領域Ｚ１の巻回数および第３巻回領域Ｚ３の巻回数は、４ターンであった。比較例として、コアにワイヤを等間隔に９ターン巻回し、複数の巻回領域を設けなかった。
【００５９】
実施例と比較例における周波数とインピーダンスの関係を図６に示し、実施例と比較例における周波数とＳ２１の関係を図７に示す。図６と図７では、実施例をＬ１１で示し、比較例をＬ１０で示す。図６に示すように、Ｌ１１では、Ｌ１０に比べて、反共振周波数を高い周波数にずらすことができ、この結果、図７に示すように、Ｌ１１では、Ｌ１０に比べて、広帯域において低リップルとなる減衰特性を得ることができた。
【００６０】
なお、本開示は上述の実施形態に限定されず、本開示の要旨を逸脱しない範囲で設計変更可能である。例えば、第１と第２実施形態のそれぞれの特徴点を様々に組み合わせてもよい。
【００６１】
前記実施形態では、ワイヤは、１本であるが、２本以上を並列接続してもよい。前記実施形態では、電極は、２つであるが、中間タップを設けて３つ以上としてもよい。前記実施形態では、巻回領域の数量は、３つであるが、４つ以上であってもよく、隣り合う巻回領域の間隔は、各巻回領域内のワイヤの巻回間隔よりも大きければよい。
【符号の説明】
【００６２】
１、１Ａ  インダクタ部品
１０  コア
１１  第１鍔部
１２  第２鍔部
１３  巻芯部
２１  ワイヤ
３１  第１電極
３２  第２電極
６０  カバー部材
Ｚ１  第１巻回領域
Ｚ２  第２巻回領域
Ｚ３  第３巻回領域
【図１】
2020161617.tif 000003
【図２】
2020161617.tif 000004
【図３】
2020161617.tif 000005
【図４Ａ】
2020161617.tif 000006
【図４Ｂ】
2020161617.tif 000007
【図５】
2020161617.tif 000008
【図６】
2020161617.tif 000009
【図７】
2020161617.tif 000010